(57)【要約】【課題】包装袋の中にシャーベット状または粒状の氷を簡単に封入することができ、また、包装体を積み重ねた際に塊状となることを防止することができ、更に、使用時に素早く簡単に開封できるシャーベット状または粒状氷用の包装袋、それを用いた封入方法および包装体を提供する。【解決手段】外袋１１と内袋１２とからなり、底部１ａで外袋１１と内袋１２とが接合され且つ封鎖されている二重構造を有するシャーベット状または粒状氷用の包装袋１であって、内袋１２が外袋の開口部１１ｂからはみ出していて、底部１ａに内袋１２を開封する易開封手段を有していることを特徴とするシャーベット状または粒状氷用の包装袋。【選択図】図１
2008120418.tif 000002
【特許請求の範囲】
【請求項１】
外袋１１と内袋１２とからなり、底部１ａで外袋１１と内袋１２とが接合され且つ封鎖されている二重構造を有するシャーベット状または粒状氷用の包装袋１であって、
内袋１２が外袋の開口部１１ｂからはみ出していて、底部１ａに内袋１２を開封する易開封手段を有していることを特徴とするシャーベット状または粒状氷用の包装袋。
【請求項２】
前記易開封手段が、両外層がシーラント層２０１で、芯層が易剥離層２０２であるテープ状易開封材２０を、内袋１２に介在させて封鎖したものであることを特徴とする請求項１記載のシャーベット状または粒状氷用の包装袋。
【請求項３】
請求項１または２記載の包装袋１の内袋の開口部１２ｂからシャーベット状または粒状の氷を入れた後、内袋の開口部１２ｂをヒートシールし、
次いで、外袋の開口部１１ｂを、空気を注入できる程度の未シール部を残してヒートシールし、
前記未シール部から外袋１１に空気を注入した後、前記未シール部をヒートシールすることを特徴とする封入方法。
【請求項４】
請求項１または２記載の包装袋１の内袋の開口部１２ｂからシャーベット状または粒状氷を入れた後、
内袋を開口部１２ｂ側から外袋１１の中に折り込んで内袋の開口部１２ｂに封をし、
次いで、外袋の開口部１１ｂを、空気を注入できる程度の未シール部を残してヒートシールし、
前記未シール部から外袋１１に空気を注入した後、前記未シール部をヒートシールすることを特徴とする封入方法。
【請求項５】
請求項１または２記載の包装袋１の内袋の開口部１２ｂからシャーベット状または粒状氷を入れた後、
次いで、外袋の開口部１１ｂを、空気を注入できる程度の未シール部を残してヒートシールし、
前記未シール部から外袋１１に空気を注入した後、前記未シール部をヒートシールすることを特徴とする封入方法。
【請求項６】
請求項３〜５のいずれかに記載の封入方法によりシャーベット状または粒状氷が封入された包装体。
【発明の詳細な説明】
【技術分野】
【０００１】
本発明においては、シャーベット状または粒状氷用の包装袋、それを用いた封入方法および包装体に関するものである。
【背景技術】
【０００２】
一般に、小型漁船等により出漁する場合には、出漁前に漁獲した鮮魚類の鮮度保持用としてシャーベット状または粒状氷を仕入れ、袋詰めして漁船等に運び込み、漁船の保冷庫等に貯蔵する。このシャーベット状または粒状氷は、漁獲した際に袋を開封してトロ箱に入れて使用する。従来、シャーベット状または粒状氷を封入する包装袋としては、単なる一重の包装袋を使用するのが一般的であった。
【０００３】
袋詰めしたシャーベット状または粒状の氷は、漁船に積み込むまでの搬送時や、漁船の保冷庫等に保管する際、何段にも積み重ねて取り扱われる。その際、一重の袋では重ねた圧力によって袋の中のシャーベット状または粒状氷は塊状となってしまうという問題がある。これを改善する方法としては、包装袋を二重構造とし、外側の袋と内側の袋の間に緩衝層となる空気層を設けることが考えられる。
しかしながら、単に二重構造としたものではシャーベット状または粒状の氷を封入する包装袋として好適に用いることができない。すなわち、シャーベット状または粒状氷を封入する包装袋は、多量の氷をほぼ一定量ずつ封入していなかければならない。特に、二重構造として空気層を設ける場合には、封入作業に空気を注入する工程も増え作業効率が悪くなるという問題がある。さらに、漁獲した際には、包装体を素早く開封して、包装体の中のシャーベット状または粒状氷を一度に取り出すことが要求され、これらの要求性能を満たすシャーベット状または粒状氷用の包装袋はなかった。
【０００４】
なお、従来から、特定の被包装物を入れるために開発された二重構造を有する包装袋は種々提案されている。例えば、特許文献１には、充填時に液状であり取り出し時に固化しているマーガリンなどの食品を入れるのに用いる袋として、外層袋の中に内層袋が挿入され、内層袋の開口部にテープ状層間易剥離材が介在するスパウト付きのバッグインボックス用内袋が提案されている。また、特許文献２には、精密機器などの外部からの衝撃に弱い被包装物を搬送するために用いる包装袋として、外袋と、この外袋の中にヒートシールにより一体的に設けられた内袋とからなり、外袋の周囲の一部をチャックにより開閉自在としたものが提案されている。ただし、シャーベット状または粒状氷に用いる包装袋は提案されていない。
【０００５】
【特許文献１】特開２００２−２８４１９４号公報
【特許文献２】特開２００２−１４５８７８号公報
【発明の開示】
【発明が解決しようとする課題】
【０００６】
そこで、本発明においては、上述するように、包装袋の中にシャーベット状または粒状の氷を簡単に封入することができ、また、包装体を積み重ねた際に塊状となることを防止することができ、更に、使用時に素早く簡単に開封できるシャーベット状または粒状氷用の包装袋、それを用いた封入方法および包装体を提供することを目的とする。
【課題を解決するための手段】
【０００７】
即ち、本発明は、
（１）外袋１１と内袋１２とからなり、底部１ａで外袋１１と内袋１２とが接合され且つ封鎖されている二重構造を有するシャーベット状または粒状氷用の包装袋１であって、内袋１２が外袋の開口部１１ｂからはみ出していて、底部１ａに内袋１２を開封する易開封手段を有していることを特徴とするシャーベット状または粒状氷用の包装袋。
（２）前記易開封手段が、両外層がシーラント層２０１で、芯層が易剥離層２０２であるテープ状易開封材２０を、内袋１２に介在させて封鎖したものであることを特徴とする、（１）記載のシャーベット状または粒状氷用の包装袋。
（３）（１）または（２）記載の包装袋１の内袋の開口部１２ｂからシャーベット状または粒状の氷を入れた後、内袋の開口部１２ｂをヒートシールし、次いで、外袋の開口部１１ｂを、空気を注入できる程度の未シール部を残してヒートシールし、前記未シール部から外袋１１に空気を注入した後、前記未シール部をヒートシールすることを特徴とする封入方法。
（４）（１）または（２）記載の包装袋１の内袋の開口部１２ｂからシャーベット状または粒状氷を入れた後、内袋を開口部１２ｂ側から外袋１１の中に折り込んで内袋の開口部１２ｂに封をし、次いで、外袋の開口部１１ｂを、空気を注入できる程度の未シール部を残してヒートシールし、前記未シール部から外袋１１に空気を注入した後、前記未シール部をヒートシールすることを特徴とする封入方法。
（５）（１）または（２）記載の包装袋１の内袋の開口部１２ｂからシャーベット状または粒状氷を入れた後、次いで、外袋の開口部１１ｂを、空気を注入できる程度の未シール部を残してヒートシールし、前記未シール部から外袋１１に空気を注入した後、前記未シール部をヒートシールすることを特徴とする封入方法。
（６）（３）〜（５）のいずれかに記載の封入方法によりシャーベット状または粒状氷が封入された包装体。
【発明の効果】
【０００８】
本発明に係るシャーベット状または粒状氷用の包装袋１は、二重構造とした包装袋1の内袋１２の中にシャーベット状または粒状氷を入れ、外袋１１と内袋１２の間に空気を注入して封入する作業を好適に行うことができる。また、搬送時や貯蔵時に積み重ねてもシャーベット状または粒状氷が圧力により塊状となるのを防止することができる。更に、シャーベット状または粒状氷を取り出す際に簡単に開封できるので、シャーベット状または粒状の氷を一度に取り出すことができる。
【発明を実施するための最良の形態】
【０００９】
以下、本発明の好適な実施の形態について詳細に説明する。
図１は、本発明に係るシャーベット状または粒状氷用の包装袋の一実施形態の構成を示す概略平面図であり、図２は、図１に示す包装袋の底部の状態を示す概略断面図である。
本発明に係るシャーベット状または粒状氷用の包装袋１は、外袋１１と内袋１２とからなり、底部１ａで外袋１１と内袋１２とが接合され且つ封鎖されている二重構造を有するシャーベット状または粒状氷用の包装袋１であって、内袋１２が外袋の開口部１１ｂからはみ出していて、底部１ａに内袋１２を開封する易開封手段を有していることを特徴とするものである。
【００１０】
外袋１１、内袋１２に使用されるプラスチックフィルムとしては特に限定がなく透明でも不透明でもよいが、直鎖状低密度ポリエチレン樹脂等のポリエチレン系樹脂からなるフィルムやポリアミド系樹脂からなるフィルムなど、約０℃でも柔軟性を有するフィルムが好適に用いられる。また、強度や安全性等の面から複数枚のフィルムを積層したものであってもよい。
【００１１】
本発明の包装袋１に用いられる外袋１１と内袋１２の形状としては、特に限定するものではなく外袋１１と内袋１２は必ずしも同じ形状である必要はないが、外袋１１と内袋１２とが共に矩形の袋状体であることが好ましい。また、本発明の外袋１１は、幅方向において内袋１２よりも長く形成され、幅方向と直交する方向において内袋１２よりも短く形成されている。
【００１２】
内袋を開封する易開封手段としては、特に限定するものではなく、例えば、（１）包装袋１の底部の側端にＶ字やＩ字のノッチなどを設ける方法、（２）カットテープを貼着する方法、（３）テープ状易開封材を内袋に介在させて封鎖する方法などの種々の方法であってもよい。この中でも、（３）テープ状易開封材を内袋の内面に介在させて封鎖する方法は、袋本体を切断せずに開封できることから特に好ましい。
テープ状易開封材２０は、図２に示すように、両外層が熱融着可能なシーラント層２０１と、芯層が融着が困難な難融着樹脂からなり手で剥離可能な易剥離層２０２とからなる。尚、両最外層のシーラント層２０１と芯層の易剥離層２０２との間には、耐熱性に優れた基材層等を設けたものが特に好ましい。又、芯層の易剥離層２０２は、部分的に比較的接着強度の弱い樹脂からなる樹脂層と接着剤や粘着剤からなる層を積層させたものが用いられる。更に、テープ状易開封材２０の包装袋の中央側端部がシーラント層で被覆されていることが好ましい。
【００１３】
次に、本発明に係る包装袋１の製袋方法の一例を図１に基づいて説明する。
先ず、２枚のフィルムを重ね合わせ両側縁１２ｃをヒートシールして内袋１２となる筒体を形成する。次に、この内袋１２となる筒体の両側に、底部が一致するようにフィルムを被せ、両側端１１ｃをヒートシールして外袋１１となる筒体を形成する。こうして、外袋１１となる筒体の内側に内袋１２となる筒体を有する二重構造の筒体が得られる。次いで、内袋１２となる筒体の底部１２ａにテープ状易開封材２０を介在させて、外袋１１及び内袋１２の底部をヒートシールし、外袋１１と内袋１２とを底部で接合する。
この場合、テープ状易開封材２０が、内袋１２の袋内に突出するように取り付けるのが好ましい。又、衝撃強度を向上させるために、ヒートシールを複数本設けることが好ましい。更に、衝撃強度を向上させるために、テープ状易開封材２０と内袋１２とのヒートシール位置を、表裏で異なるようにすることが好ましい。
このときに、内袋１２は、外袋１１よりも長く作られているので、内袋１２が外袋の開口部１１ｂからはみ出した形状になっている。このようにして、本発明の包装袋１を製造することができる。
なお、易開封手段として、Ｖ字やＩ字のノッチを用いる場合は、前記二重構造の筒体の内袋１１と外袋１２の底部をヒートシールすると共に接合して、袋状に形成した後、Ｖ字やＩ字のノッチを設けることで、本発明の包装袋１を製造することができる。
【００１４】
包装袋１にシャーベット状または粒状の氷を封入する際、例えば、以下の方法が挙げられる。
第一の方法としては、先ず、内袋の開口部１２ｂからシャーベット状または粒状氷を入れる。次に、内袋の開口部１２ｂをヒートシールした後、外袋の開口部１１ｂを、空気を注入できる程度の未シール部を残してヒートシールする。ヒートシールした後、未シール部から外袋１１に空気を注入して内袋１２の周囲を空気層で覆うようにして未シール部をヒートシールすることで、シャーベット状または粒状氷を封入した包装体を得ることができる。
その際、本発明に係る包装袋１は、内袋１２が外袋の開口部１１ｂからはみ出していることから、内袋の開口部１２ｂが開けやすくなっており、内袋１２の中にシャーベット状または粒状氷を入れやすい。また、本発明に係る包装袋１は、内袋１２が外袋の開口部１１ｂからはみ出し、内袋１２が露出していることから、内袋の開口部１２ｂをヒートシールする作業を簡便に行うことができる。
また、未シール部からの空気を注入する際はエアーノズル等で行うことが可能である。その際、本発明に係る包装袋１は、外袋１１と内袋１２とが底部１ａで接合され、外袋の側縁１１ｃと内袋の側縁１２ｃとが離間していることから、この離間部分を通って内袋１２の表裏を覆うように空気が行き届き、一回の空気注入作業で内袋１２を覆う空気層を形成することができる。
なお、未シール部を残してヒートシールする際、未シール部の位置や数は特に限定するものではないが、外袋の側縁１１ｃに隣接して未シール部が残されていることが特に好ましい。
【００１５】
第二の方法としては、内袋の開口部１２ｂからシャーベット状または粒状氷を入れた後、内袋１２を開口部１２ｂ側から外袋１１の中に折り込んで内袋の開口部１２ｂに封をし、次いで、空気注入部材が挿入できる程度の未シール部を残して外袋の開口部１１ｂをヒートシールし、未シール部から外袋１１に空気を注入した後、未シール部をヒートシールすることで、シャーベット状または粒状氷を封入した包装体を得ることができる。
なお、内袋の開口部１２ｂを封する方法は、特に限定しないが、例えば、テープなどで留めることが好ましい。
この方法の場合、本発明に係る包装袋１は、内袋１２が外袋の開口部１１ｂからはみ出しているので、内袋のはみ出し部分が折り曲げ代となり、内袋１２内の容量を大きく確保することが可能となる。
【００１６】
第三の方法としては、内袋の開口部１２ｂからシャーベット状または粒状氷を入れた後、外袋の開口部１１ｂを、空気を注入できる程度の未シール部を残してヒートシールする。ヒートシール後、未シール部から外袋１１に空気を注入して内袋１２の周囲を空気層で覆うようにして、未シール部をヒートシールすることで、シャーベット状または粒状氷を封入した包装体を得ることができる。
【００１７】
この方法の場合、本発明に係る包装袋１は、内袋１２が外袋の開口部１１ｂからはみ出しているので、未シール部に空気を注入する際に、内袋１１がガイドとなって外袋１１と内袋１２の間の開口部分に正確に挿入することができる。そして、この方法の場合には、内袋の開口部１２ｂをヒートシールするなどの工程が必要ないことから、第一の方法や第二の方法に比べて工程数が減り作業効率が向上する。
【００１８】
上述する封入方法により得られる包装体は、搬送時や保管時に積み重ねた場合であっても、中のシャーベット状または粒状氷が塊状化することを防止することができ、更に、底部１ａに易開封手段を有することで簡単に開封することができて、中のシャーベット状または粒状氷を一度に取り出すことができる。
【産業上の利用可能性】
【００１９】
本発明に係るシャーベット状または粒状氷用の包装袋は、小型漁船等により出漁する場合に、漁獲した鮮魚類の鮮度保持するために用いるシャーベット状または粒状氷を搬送するための包装袋として好適に用いることができる。
【図面の簡単な説明】
【００２０】
【図１】本発明に係るシャーベット状または粒状氷用の包装袋の一実施形態の構成を示す概略平面図である。
【図２】図１に示すシャーベット状または粒状氷用の包装袋の底部の状態を示す概略断面図である。
【符号の説明】
【００２１】
１  袋
１ａ  底部
１１  外袋
１１ａ  外袋の底部
１１ｂ  外袋の開口部
１１ｃ  外袋の側縁
１２  内袋
１２ａ  内袋の底部
１２ｂ  内袋の開口部
１２ｃ  内袋の側縁
２０  テープ状易開封手段
２０１  シーラント層
２０２  易剥離層
【図１】
2008120418.tif 000003
【図２】
2008120418.tif 000004